(57)【要約】      （修正有）【課題】高価な釣り糸を永く利用するために、手間をかけずに釣り糸の手入れ作業が容易で、維持と管理が幅広くできる器具を提供する。【解決手段】器体１にリールを上・下段に立体配置し、下段両側パイプに曲線部を設け、左右に振動する）糸受けプーリー７で折り返しの誘導プーリー器具３で糸の清掃、点検し、市販の釣り糸スプールを回転調整付きスプール受け器具４に設置し巻き取る。両受台支柱６の器軸に離脱防止のＬ型凸起付きワッシャーを設ける。器具専用の片軸受けリール２のレベルワインダー、専用スプール、処理専用スプールを大中小型と脱着使用で糸の形状、多少糸巻量に対し糸の交換、保管、処理ができる。器体１の折りたたみ型で取り扱い易い器具を特徴とする。【選択図】図１
2020078291.tif 000002
【特許請求の範囲】
【請求項１】
器体（１）のリール受台支柱（５）のリールシート（１３）に使用リール（１０）を設置し、下段のリールシート（１３）に器具専用の片軸受けリール（２）を設けて立体配置となり、器具受台支柱（６）に誘導プーリー器具（３）を設け、左右に振り付き糸受けプーリー（７）に釣り糸（１２）を通して折り返し型式となり、同位で作業が可能となる。使用リール（１０）への新しい市販釣り糸スプール（３１）の巻取りは、器具受台支柱（６）にスプール受け器具（４）を設けて回転調整付きスプール受台（２９）とスプール受台（３０）で固定して回転調整を行って巻き取る。器体（１）には、誘導プーリー器具（３）とスプール受け器具（４）を常時配置し必要に応じてアタッチメントの入替交換が容易にできる。器具受台支柱（６）の各器具の心軸棒（２４）が高速回転の振動で止めナット（２０）が緩んで受け溝（３６）より外れないように離脱防止のＬ型凸起付きワッシャー（２１）を溝（３６）に取り付け、締め付け用の曲りワッシャー（２２）とワッシャー（２３）を設けて止めナット（２０）で締め付けて止める。器体（１）のパイプは、弾力性のある横型楕円形で下段のリールを設置する両側面に曲線部を設けて、リールのハンドルアーム（１６）の長いアームに対して回転で器体（１）に手を打ち付けることなく右利き、左利きの人も安全に使用ができる。器体（１）の脚部（１９）を防震用の弾性部材を設置して移動、振動、騒音の軽減に対応する。ストッパー機構（４４）とクラッチ機構（４５）を備えた器具専用の片軸受けリール（２）は、カウンター（４３）付きレベルワインダー（３７）と専用スプール（５８）、処理専用スプール（５９）を大型、中型、小型と脱着交換ができることで大小型のリール機種の釣り糸（１２）の形状、多少の糸巻量でも糸の清掃と点検、糸の入替交換、糸の保管、糸の処理にも対応ができる。器具専用の片軸受けリール（２）は、リールシート（１３）上で向きを変えることで右巻き、左巻きでも両方に使用ができる。リール受台支柱（５）、器具受台支柱（６）の支柱受台（８）の止めナット（２０）を緩めて折りたたみ、折りたたんだ支柱の端部を含め止めナット（２０）で締めて固定して、器体（１）の中央の跳ね返しや、がたつきを防止するスライドカバー（９）を誘導の溝（３６）に沿ってスライドさせて器体（１）を折りたたむ。このように組み立ても簡単で、片付け、収納ができて持ち運びも容易な釣り糸維持管理器具。
【発明の詳細な説明】
【技術分野】
【０００１】  本発明は、釣り竿の使用後、釣り糸の手入れとして清掃と点検を行い、糸の入替交換、糸の保管、糸の処理、器具の収納、持ち運びが容易にできる釣り糸維持管理器具に関するものである。
【背影技術】
【０００２】  従来、釣り糸の清掃は、釣り竿の使用後、リールのスプールを取り外して水道水で洗い流すか、バケツ等に水を張り、水につけた後、陰干しで乾燥をさせていたが、スプール軸部のオイルが流れ出し、水面に浮いて逆に糸に付着して汚れてしまう。清掃はスプールの糸巻きの中心部より末端部まで完全には出来ず、表面的な清掃しか出来ていなかった。また、糸の取替えは、木片や紙を丸めて１００ｍから３００ｍの糸を巻き取って処理を行い、糸の購入店に頼んで巻き取ってもらうか、購入糸を釣り竿に使用リールを設置してガイドを通して糸を巻き取る方法でなされていた。しかしながら、糸の交換、糸の保管はなされていなかった。このように時間と手間をかけて手入れがなされていたため、２〜３本の釣り竿では、即時に次回の釣りにも対応できない状況であった。
【先行技術文献】
【特許文献】
【０００３】
【特許文献１】特開２００５−３２８８２８号公報
【発明の概要】
【発明が解決しようとする課題】
【０００４】  これは、次のような欠点があった。
従来、リールが平面配置で、向かい合わせに設置したリールのハンドルは向きが異なるため、釣り糸を巻き取りながら、清掃・点検をして、終われば逆に巻き取るために器体の向きを変えるか、人が移動しなければならなかった。リールのスピニングリール型は、使用リールと同型同等であれば、清掃・点検・糸の交換はできるが、他機種による糸の形状、糸巻き量の変化に対してはリールのメインシャフト、ピックアップベイル、ローター、スプールが固定形状で自在に対応ができない。リールでスプールに糸の巻取り時は、高速回転の振動でスプール受け器具の止めナットが緩んで、受台支柱より外れてしまう。各製造業者のリール機種ごとにリールのハンドルアームの長さが異なり、ハンドルを回転させると器体に手を打ち付ける状態であった。器体は３ヶ所のスクリューナットを操作して伸び縮みさせる形状では、支持金具に阻まれ、縮めることには限界があった。
本発明は、以上のような欠点をなくすためになされたものである。
【課題を解決するための手段】
【０００５】  上述の目的を達成する本発明の釣り糸維持管理器具は、リールの設置を平面配置から、リールは器体（１）の上段、下段に立体配置にする。さらに誘導プーリー器具（３）を設置して、振り付き糸受けプーリー（７）を通して折り返し型式となり、同位で手入れ作業が容易に出来るようになった。リールのスピニングリール型よりドラムリール型は糸癖が付きにくく、糸の撚りが少ない片軸受けリール（２）の方が側面での作業が容易である。レベルワインダー（３７）と専用スプール（５８）、処理専用スプール（５９）を大型、中型、小型と入替交換ができることで、大小型のリール機種で、釣り糸の形状、多少の糸巻き量にも清掃と点検、糸の入替交換、糸の保管、糸の処理にも対応ができる。片軸受けリール（２）の向きを変えるだけで右巻き、左巻きの両方に使用ができる。誘導プーリー器具（３）、回転調整付きスプール受け器具（４）が使用リール（１０）の巻取り時に高速回転の振動で器具受台支柱（６）より外れないように軸受け溝に離脱防止のＬ型凸起付きワッシャー（２１）と曲りワッシャー（２２）を設けて外れを防ぐことができる。器体（１）のパイプを円形から横型楕円形にして弾力性を持たせ、器体（１）下段のリールを設置する両側のパイプに曲線部を設けることで、リールのハンドル（１６）が長いアームに対してもハンドル（１６）の回転で、器体（１）に手を打ち付けることがく、右利き左利きを問わず、安心して使用することができる。器体（１）を伸縮型から折りたたみ型にすることで、確実に半分の長さとなり、コンパクトな釣り糸維持管理器具である。
本発明は、以上の構成よりなる釣り糸維持管理器具である。
【発明の効果】
【０００６】  器体にリールを上段と下段に立体に配置して、誘導プーリー器具を設置して振り付き糸受けプーリーを通して折り返し型式となり、同位で釣り使用後の釣り糸の清掃と点検、糸の入替交換、糸の保管、糸の処理ができる。スプール受け器具に新しい市販の糸巻きスプールを設置して、使用リールへの巻取りが容易に出来る。器具専用の糸に撚れが少ないドラムリール型の片軸受けリールにストッパー機構、クラッチ機構を設け、カウンター付きレベルワインダー、専用のスプール、処理専用のスプールを大型、中型、小型と容易に入替交換ができることで、使用するリールの大型、中型、小型機種に関わらず、糸の形状や多少の糸巻量でも簡単に短時間で糸の清掃と点検、糸の入替交換、糸の保管、糸の処理に対応ができる。片軸受けリールの向きを変えるだけで右巻き、左巻きでも両方に使用ができる。誘導プーリー器具、回転調整付きスプール受け器具の心棒軸がリールの巻き取り時に高速回転の振動で器具受台支柱の溝より外れないように軸受けの溝に離脱防止のＬ型凸起付きワッシャーを両側に取り付け、止めナットの緩みを防ぐ曲げワッシャーを締め付けて受台支柱より外れないように防止することができる。器体を持ちやすい横型楕円形にして弾力性を持たせ、器体下段のリールを設置する両側面のパイプに曲線部を設けてリールのハンドルの長いアームに対してもハンドルの回転で器体に手を打ち付けることなく、右利き、左利きの人も安全に使用することができる。器体の脚部に防震型の弾性部材を設けて、振動・移動・騒音にも対応することができる。器体に誘導プーリー器具と回転調整付きスプール受け器具を常時装置で、必要に応じてアタッチメントの入替交換が容易に対応できる。器体の３ヶ所の受台支柱の止めナットを緩めて折りたたみ、止めナットで固定して中央部の２ヶ所の跳ね返し防止のスライドカバーを溝に沿ってスライドさせて器体を折りたたむ。このように組み立ても簡単で、片付け、収納ができて持ち運びも容易である。
上記のように安全性を備え、手間をかけずに釣り糸の維持と管理に効力のある器具である。
【図面の簡単な説明】
【０００７】
【図１】  本発明の器具全体の外観斜視図である。
【図２】  本発明の器具本体の外観斜視図である。
【図３】  本発明の正面図である。
【図４】  本発明の平面図である。
【図５】  本発明の左側図面である。
【図６】  本発明の右側図面である。
【図７】  本発明の底面図である。
【図８】  本発明の各受台支柱を折りたたんだ状態の平面図である。
【図９】  本発明の器体を折りたたんだ状態の外観斜視図である。
【図１０】  本発明の器体に使用リール、誘導プーリー器具、器具専用の片軸受けリールを設置しての使用状況の正面図である。
【図１１】  受台支柱に誘導プーリー器具を設置した詳細拡大側面図である。
【図１２】  図１１の詳細拡大構造断面側面図である。
【図１３】  図１２の誘導プーリー器具の中央部の振り付き糸受けプーリーの詳細構造断面図である。
【図１４】  受台支柱にスプール受け器具に大型の市販購入糸のスプールを設置しての使用状況の詳細側面図である。
【図１５】  受台支柱にスプール受け器具に中型の市販購入糸のスプールを設置しての使用状況の詳細側面図である。
【図１６】  図１５の詳細構造断面側面図である。
【図１７】  受台支柱にスプール受け器具を設置したスプール受台側の詳細拡大側面図である。
【図１８】  図１７の詳細拡大構造断面側面図である。
【図１９】  受台支柱の溝に使用のＬ型凸起付きワッシャーの正面図である。
【図２０】  スプール受け器具の左側スプール受台の正面図である。
【図２１】  支柱受台の詳細拡大平面図である。
【図２２】  支柱受台の詳細拡大正面図である。
【図２３】  図２２の詳細拡大構造断面正面図である。
【図２４】  支柱受台の支柱折りたたみ固定の詳細拡大側面図である。
【図２５】  図２４の詳細拡大構造断面側面図である。
【図２６】  リール受台支柱の折りたたみ固定の詳細拡大側面図である。
【図２７】  器体の骨組パイプの拡大断面図である。
【図２８】  器体の骨組パイプの側面拡大断面図である。
【図２９】  器体中央の折りたたみ部の詳細拡大正面図である。
【図３０】  図２９の詳細拡大正面断面図である。
【図３１】  器体中央の折りたたみ部の詳細拡大底面図」である。
【図３２】  器体中央の折りたたんだ状態の詳細拡大正面図である。
【図３３】  本発明の器具専用の片軸受けリールの正面図である。
【図３４】  本発明の器具専用の片軸受けリールの背面図である。
【図３５】  本発明の専用器具の片軸受けリールの糸巻き使用の平面図である。
【図３６】  本発明の器具専用の片軸受けリールの糸巻き使用の底面図である。
【図３７】  本発明の器具専用の片軸受けリールの側面図である。
【図３８】  図３７の詳細構造断面側面図である。
【図３９】  図３８の中央右側のストッパー機構、クラッチ機構配置の詳細右側正面断面図である。
【図４０】  図３８の中央左側のギヤー配列の詳細左側背面断面図である。
【図４１】  図３９のストッパー機構のフリー状態の詳細構造図である。
【図４２】  図３９のストッパー機構の右回転は不可能状態の詳細構造図である。
【図４３】  図３９のクラッチ機構の回転直結状態の詳細構造図である。
【図４４】  図３９のクラッチ機構の回転切断状態の詳細構造図である。
【図４５】  図３７の大型レベルワインダーと大型の専用スプールへの交換状態の側面図である。
【図４６】  器具専用の片軸受けリールに糸処理専用のスプールの設置状態の側面図である。
【図４７】  図４６の糸処理専用のスプール設置状態の拡大図である。
【図４８】  図４７の詳細拡大断面図である。
【図４９】  糸処理専用のスプールの拡大側面図である。
【図５０】  糸処理専用のスプール軸の端部拡大構造図である。
【発明を実施するための形態】
【０００８】  以下、本発明を実施するための形態を図面に基づき詳細に説明する。
【０００９】  図１〜図９は本発明の第１の実施形態に係わり、図１は器具全体の外観斜視図、図２は器具本体の外観斜視図、図３は正面図、図４は平面図、図５は左側面図、図６は右側面図、図７は底面図、図８は各受台支柱を折りたたんだ状態の平面図、図９は折りたたんだ状態の外観斜視図である。
【００１０】  図１０で示すように、釣り竿の使用後、器体（１）上段のリール受台支柱（５）のリールシート（１３）に使用リール（１０）のリールフット（１４）を固定し、下段のリールシート（１３）に器具専用の片軸受けリール（２）のリールフット（１４）を固定する。誘導プーリー器具（３）を器具受台支柱（６）に設置して、使用リール（１０）のベイル（１５）を開放して釣り糸（１２）を誘導プーリー器具（３）の振り付き糸受プーリー（７）を通して器具専用の片軸受けリール（２）に巻き取る。この釣り糸（１２）の清掃と点検の巻取り時には、摩擦熱を防ぎ汚れを取り除きながら点検を行うために濡れた布（１８）で挟み、往復で釣り糸（１２）を通すことにより汚れを完全を取り除き、糸のキズ、糸のヨレも点検ができる。この方法で逆に片軸受けリール（２）の専用スプール（５８）の保管釣り糸（１２）に交換して使用リール（１０）に巻き取ったり、処理専用スプール（５９）を使用して糸の処理もできる。濡れた布（１８）は、一般的なタオル生地でも良いが、マイクロファイバー繊維の布を使用した方が一段と汚れがきれいに取れる。深海魚や大型魚種用の大型リールは、下段に設置して上段に器具専用の片軸受けリール（２）を設置すれば器体（１）は安定する。器具専用の片軸受けリール（２）の向きを変えれば、右巻きから左巻きができる。同位での手入れ作業で清掃により糸の劣化を防ぎ、糸のキズ、巻きぐせ、キンクの有無の点検もできて、使用リール（１０）と空スプール（１１）も清掃ができる。
【００１１】  図１１〜図１３で示すように、誘導プーリー器具（３）は、心棒軸（２４）の中央に玉軸受台（２８）を配置して両端の止めネジ（２５）を心棒軸（２４）に固定して、釣り糸（１２）を振り付き糸受けプーリー（７）を通して作業を行う。釣り糸（１２）の巻きぐせに抵抗なく左右に約２５度の振動作するように振り付き糸受けプーリー（７）と玉軸受台（２８）の間にボール（２６）を入れてすむずに回転し、振り付き糸受けプーリー（７）より釣り糸（１２）が外れないようにＶ型の溝型で受ける構造である。器具受台支柱（６）の両側には図１７〜図１９の詳細図で示すように、振り付き糸受けプーリー（７）の高速回転の振動で器具受台支柱（６）の受け溝（３６）より心棒軸（２４）が外れないように離脱防止のＬ型凸起付きワッシャー（２１）を受け溝（３６）に取り付けて、緩みを防止に心棒軸（２４）に曲りワッシャー（２２）とワッシャー（２３）を取り付けて止めナット（２０）で外れないように締め付ける。誘導プーリー器具（３）の玉軸受台（２８）の取り外しは痛みを防ぐために心棒軸（２４）の左側の一方方向に止め凸起（２７）を通しての出し入れ構造である。
【００１２】  図１４〜図２０で示すように、市販釣り糸スプール（３１）は、糸の種別、糸の長さの巻量で、大型、中型、小型で販売されており、釣り糸（１２）の巻き取りは、誘導プーリー器具（３）と同様に左側の止め凸起（２７）を通して市販釣り糸スプール（３１）を心棒軸（２４）の中央に配置して、スプール受け器具（４）の回転調整付き受台（２９）に付けて止めネジ（２５）で固定し、もう片方のスプール受台（３０）で受けて止めネジ（２５）で固定する。使用リール（１０）に巻き取り時にはバックラッシュにならないように回転をうまく調整するために弾性部材（３２）を利用して回転調整付きスプール受台（２９）の回転調整カバーの回転で強弱を調整して、両側の受台に設置しているボール（２６）に負荷させて回転調整を行う。誘導プーリー器具（３）と同様に市販釣り糸スプール（３１）の高速回転の振動で器具受台支柱（６）より心棒軸（２４）が外れないように離脱防止のＬ型凸起付きワッシャー（２１）を溝（３６）に取り付け心軸棒（２４）に曲りワッシャー（２２）とワッシャー（２３）を取り付けて止めナット（２０）で締め付けて外れないようにする。釣り糸（１２）の緩んだ巻き取りでは釣り糸（１２）が絡んでしまい、バックラッシュの原因となり使用リール（１０）が使用不能となる。これを回避するためにはスプール受け器具（４）の回転調整付きスプール受台（２９）は、主要な回転調整機能を備えた構造である。
【００１３】  図２１〜図２６で示すように、リール受台支柱（５）と器具受台支柱（６）を支える支柱受台（８）は、止めナット（３４）を緩めて止め軸（３５）の直角方向に折りたたみ、跳ね返しや、元に戻るのを防止するためにリール受台支柱（５）と器具受台支柱（６）の端部を止めナット（３４）で固定する。この支柱受台（８）は、器体（１）が安全で安心して使い易く、コンパクトな形状には主要な構造である。
【００１４】  図２７、図２８で示すように、器体（１）の骨格をなす横型楕円形のパイプ断面図である。この形状は、上部、横からの荷重及び衝撃を緩和して弾力性を備え軽量化を図った構造で、手に持ち易い形状の器体（１）の骨組構造である。この器体（１）のパイプには丸形、四角形、縦型楕円形、卵型、馬蹄形等の形状があるが、１つの形例として安定した横型楕円形を採用した。図３、図１０で示すように、器体（１）下部にリールを設置する両側面のパイプに曲線部を設けてリールのハンドルアーム（１６）の長いアームに対して、回転で器体（１）に手を打ち付けないように右利き、左利きの人にも安全に使用できる構造骨格である。器体（１）の脚部（１９）は、振動、移動、騒音の防止に弾性部材の防震型を設置したものである。
【００１５】  図２９〜図３２で示すように、器体（１）の中央の折りたたみ部は、止め軸（３５）を中心に両側の器体（１）が９０度に回転する仕組みである。折りたたみ部の特色は、安全性と使い易さを考慮して、スライドカバー（９）を設けることで、器体（１）で各器具の使用時の跳ね返りや左右のがたつきを防止し、作業終了時には、スライドカバー（９）を溝に沿ってスライドさせて、器体（１）を折りたたんで半分の長さとなり、片付けが容易になり、コンパクトになる構造である。
【００１６】  図３３〜図４０は本発明第１の実施の形態に係わり、図３３は器具専用の片軸受けリールの正面図、図３４は背面図、図３５は器具専用の片軸受けリールの糸巻き使用の平面図、図３６は器具専用の片軸受けリールの糸巻き使用の底面図、図３７は背面図、図３８は図３７の詳細構造断面側面図、図３９は図３８の中央右側のストッパー機構、クラッチ機構配置の詳細構造断面正面図、図４０は図３８の中央左側のギヤー配列の詳細構造断面正面図である。
【００１７】  図４１、図４２で示すように、ストッパー機構（４４）の逆転防止装置の仕組みを表した図である。図４１は、ストッパーカム（５１）の軸の回転で凸状態でストッパースプリング（５２）を縮め、ストッパー（５０）がラチェット（４７）より外れて左右の回転ができるフリーの状態となる。図４２は、逆の操作でストッパーカム（５１）の軸の回転で凹状態でストッパースプリング（５２）が伸びてストッパー（５０）がラチェット（４７）の歯に直角に当たり右回転は不可能となり、左回転は正常回転となる。このようにストッパーレバー（３９）の操作でフリーとストップと回転を変えることができる構造である。
【００１８】  図４３、図４４で示すように、クラッチ機構（４５）で操作状況を示す詳細構造図である。このクラッチ機構（４５）は、摩擦式で、図４３ではドライブギヤー（４６）の回転運動をピニオンギヤー（４８）に伝えピニオンシャフト（４１）からギヤー（４９）へ回転運動が伝わるようにクラッチアーム（５３）をクラッチシャフト（５４）のクラッチレバー（４０）で操作する。図４４では、クラッチレバー（４０）の逆操作でクラッチシャフト（５４）のクラッチアーム（５３）が移動して、ピニオンギヤー（４８）がピニオンシャフト（４１）の接続部より外れてドライブギヤー（４６）からの回転が切断される。このように回転運動をピニオンギヤー（４８）の前後の操作で伝動が切断に交代するのがクラッチ機構（４５）である。このクラッチ機構（４５）以外に糸の出入れを調整するドラグ機構や回転運動を調整するブレーキ機構も必要な機能である。
【００１９】  図４５は、器具専用のドラムリール型の片軸受けリール（２）は、使用リール（１０）の機種、釣り糸（１２）の形状、多少の糸巻量の変化に対して片軸受けリール（２）のカウンター（４３）付きレベルワインダー（３７）の止めネジ（３８）の操作によりレベルワインダー（３７）を大型、中型、小型と脱着交換ができる構造で、それに伴い、専用スプール（５８）、処理専用スプール（５９）も大型、中型、小型へと状況に応じて入替交換が容易にできることを示した図である。
【００２０】  図４６〜図５０で示すように、釣り糸（１２）が劣化したり、キズがついて傷んだ糸を使用リール（１０）のスプール（１１）からの処理糸の形状、多少の糸巻量に合わせて、器具専用の片軸受けリール（２）のカウター（４３）付きのレベルワインダー（３７）と処理専用スプール（５７）を選んで設置して、処理専用スプール（５７）に釣り糸（１２）を巻き取り、巻取り終えれば止めナット（２０）を緩めて外してサイドプレート（５６）を外し、スプール軸（５５）のＶ字形の斜め開口溝を上下より押さえる事で巻き取られた釣り糸（１２）に隙間ができて緩んだ釣り糸（１２）をスプール軸（５５）より取り出して処理する構造である。この処理専用スプール（５９）の使用で手間をかけず、汚れもつかずに簡単に釣り糸（１２）のエコな処理ができる。
【００２１】  釣り糸（１２）の維持と管理をするためには、手間をあまりかけずに、効率よく、使い易く、安全性、利便性を考慮して図１〜図９で示すような配置と形状になった。実施するには、使用リール（１０）の機種、機型と市販釣り糸スプール（３１）の形状により器体（１）の形状が決まる。器体（１）の大きさは、縦長さは約６０ｃｍから約１００ｃｍ、但し折りたたみの器体（１）で約３０ｃｍから約５０ｃｍとなる。横幅は約２５ｃｍから約３０ｃｍ、高さは約１５ｃｍから約２５ｃｍほどあれば器体（１）は安定し、同位で手入れ作業が効率よくできる。器体（１）の部材は、鉄製、ステンレス製、カーボンファイバー製等があるが強硬生、軽量性、加工性、経済性を検討して材料を選定して使用する。接続部の部材は、金属製ネジ、エポキシ系接着剤等が一般的に使用されているが強硬な材料を使用する。器具専用の片軸受けリール（２）のレベルワインダー（３７）とカウンター（４３）と器体（１）に固定するリールシート（１３）は、生産業者の協力を得て改良して使用する。さらに器体（１）のデザイン性も考慮しなければならない。
本発明は、以上のような形状と材質で構成するものである。
この釣り糸維持管理器具を使用することで、高価な釣り糸を永く使用して、楽しい釣りができればよい。
【符号の説明】
【００２２】１    器体
２    片軸受けリール（ドラムリール型）
３    誘導プーリー器具
４    スプール受け器具
５    リール受台支柱
６    器具受台支柱
７    糸受けプーリー（振り付き）
８    支柱受台
９    スライドカバー
１０  使用リール（スピニングリール型）
１１  スプール
１２  釣り糸
１３  リールシート
１４  リールフット
１５  ベイル（ピックアップベイル、フルベイル）
１６  ハンドルアーム
１７  ハンドルグリップ
１８  濡れた布
１９  脚部
２０  止めナット（大）
２１  Ｌ型凸起付きワッシャー
２２  曲りワッシャー
２３  ワッシャー
２４  心軸棒
２５  止めネジ（小）
２６  ボール
２７  止め凸起
２８  玉軸受台
２９  回転調整付きスプール受台
３０  スプール受台
３１  市販釣り糸スプール
３２  弾性部材
３３  回転調整カバー
３４  止めナット（小）
３５  止め軸
３６  溝
３７  レベルワインダー
３８  止めネジ（中）
３９  ストッパーレバー
４０  クラッチレバー
４１  ピニオンシャフト
４２  リールステム
４３  カウンター
４４  ストッパー機構
４５  クラッチ機構
４６  ドライブギヤー
４７  ラチェット
４８  ピニオンギヤー
４９  ギヤー
５０  ストッパー
５１  ストッパーカム
５２  ストッパースプリング
５３  クラッチアーム
５４  クラッチシャフト
５５  スプール軸
５６  サイドプレート
５７  メインシャフト
５８  専用スプール
５９  処理専用スプール
６０  軸
６１  シャフト
【図１】
2020078291.tif 000003
【図２】
2020078291.tif 000004
【図３】
2020078291.tif 000005
【図４】
2020078291.tif 000006
【図５】
2020078291.tif 000007
【図６】
2020078291.tif 000008
【図７】
2020078291.tif 000009
【図８】
2020078291.tif 000010
【図９】
2020078291.tif 000011
【図１０】
2020078291.tif 000012
【図１１】
2020078291.tif 000013
【図１２】
2020078291.tif 000014
【図１３】
2020078291.tif 000015
【図１４】
2020078291.tif 000016
【図１５】
2020078291.tif 000017
【図１６】
2020078291.tif 000018
【図１７】
2020078291.tif 000019
【図１８】
2020078291.tif 000020
【図１９】
2020078291.tif 000021
【図２０】
2020078291.tif 000022
【図２１】
2020078291.tif 000023
【図２２】
2020078291.tif 000024
【図２３】
2020078291.tif 000025
【図２４】
2020078291.tif 000026
【図２５】
2020078291.tif 000027
【図２６】
2020078291.tif 000028
【図２７】
2020078291.tif 000029
【図２８】
2020078291.tif 000030
【図２９】
2020078291.tif 000031
【図３０】
2020078291.tif 000032
【図３１】
2020078291.tif 000033
【図３２】
2020078291.tif 000034
【図３３】
2020078291.tif 000035
【図３４】
2020078291.tif 000036
【図３５】
2020078291.tif 000037
【図３６】
2020078291.tif 000038
【図３７】
2020078291.tif 000039
【図３８】
2020078291.tif 000040
【図３９】
2020078291.tif 000041
【図４０】
2020078291.tif 000042
【図４１】
2020078291.tif 000043
【図４２】
2020078291.tif 000044
【図４３】
2020078291.tif 000045
【図４４】
2020078291.tif 000046
【図４５】
2020078291.tif 000047
【図４６】
2020078291.tif 000048
【図４７】
2020078291.tif 000049
【図４８】
2020078291.tif 000050
【図４９】
2020078291.tif 000051
【図５０】
2020078291.tif 000052
【手続補正書】
【提出日】令和1年9月13日(2019.9.13)
【手続補正１】
【補正対象書類名】図面
【補正対象項目名】全図
【補正方法】変更
【補正の内容】
【図１】
2020078291.tif 000053
【図２】
2020078291.tif 000054
【図３】
2020078291.tif 000055
【図４】
2020078291.tif 000056
【図５】
2020078291.tif 000057
【図６】
2020078291.tif 000058
【図７】
2020078291.tif 000059
【図８】
2020078291.tif 000060
【図９】
2020078291.tif 000061
【図１０】
2020078291.tif 000062
【図１１】
2020078291.tif 000063
【図１２】
2020078291.tif 000064
【図１３】
2020078291.tif 000065
【図１４】
2020078291.tif 000066
【図１５】
2020078291.tif 000067
【図１６】
2020078291.tif 000068
【図１７】
2020078291.tif 000069
【図１８】
2020078291.tif 000070
【図１９】
2020078291.tif 000071
【図２０】
2020078291.tif 000072
【図２１】
2020078291.tif 000073
【図２２】
2020078291.tif 000074
【図２３】
2020078291.tif 000075
【図２４】
2020078291.tif 000076
【図２５】
2020078291.tif 000077
【図２６】
2020078291.tif 000078
【図２７】
2020078291.tif 000079
【図２８】
2020078291.tif 000080
【図２９】
2020078291.tif 000081
【図３０】
2020078291.tif 000082
【図３１】
2020078291.tif 000083
【図３２】
2020078291.tif 000084
【図３３】
2020078291.tif 000085
【図３４】
2020078291.tif 000086
【図３５】
2020078291.tif 000087
【図３６】
2020078291.tif 000088
【図３７】
2020078291.tif 000089
【図３８】
2020078291.tif 000090
【図３９】
2020078291.tif 000091
【図４０】
2020078291.tif 000092
【図４１】
2020078291.tif 000093
【図４２】
2020078291.tif 000094
【図４３】
2020078291.tif 000095
【図４４】
2020078291.tif 000096
【図４５】
2020078291.tif 000097
【図４６】
2020078291.tif 000098
【図４７】
2020078291.tif 000099
【図４８】
2020078291.tif 000100
【図４９】
2020078291.tif 000101
【図５０】
2020078291.tif 000102